(57)【要約】      （修正有）【課題】使用前の保存が容易で、使用によって温熱ケア効果を備える保護フィルムを提供する。【解決手段】保護フィルムは、外防水カバー１０、内フィルム２０及び保護ワックス層３０を含む。外防水カバーは、体の特定位置を入れ、該外防水カバー内層には吸湿性の内フィルム２０を設置し、該内フィルムに保護ワックス層を付着させ、且つ該保護ワックス層はワックス及び保護液によって調合される。更に内フィルム２０に付着させ、冷卻後に凝固させて成形し、外防水カバー１０は水分が浸入するのを防止する。更に外防水カバーと内フィルムは各々分離する単体であるか、もしくは両者を相互にプレス固定する。使用時、熱水容器、もしくは加熱板、もしくは温蔵庫と結合して使用する。【選択図】図３
0003179499.tif 000002
【実用新案登録請求の範囲】
【請求項１】
保護フィルムにおいて、それは少なくとも
開封口を設置し、人の的局部位置に装着する外防水カバーと、
該外防水カバー内に設置し、その形状は外防水カバー形状に相対して内部に設置し、且つ開封口に相対する位置に開口を設置する内フィルムと、
該内フィルムに付着し、且つ外防水カバーの別一側に相対する保護ワックス層を含むことを特徴とする保護フィルム。
【請求項２】
前記外防水カバーは、該内フィルムと分離し、該外防水カバーは密封するか、もしくは該開封口を開放端にして、該外防水カバーと内フィルム周辺縁はホットプレス成型で相互連結して固定し、該開封口は開放端するか、もしくは該外防水カバーはホットプレスで該開封口を形成し、該開封口を密封することを特徴とする請求項１記載の保護フィルム。
【請求項３】
前記保護ワックス層は、ワックス及び保護液を結合し、内フィルムに吸着させ、冷卻後に凝固成型することを特徴とする請求項１もしくは２記載の保護フィルム。
【請求項４】
前記外防水カバーは、接着テープ及び保護片を設置することを特徴とする請求項１記載の保護フィルム。
【請求項５】
前記外防水カバーは、密封したアルミ箔袋を外に設置することを特徴とする請求項１記載の保護フィルム。
【請求項６】
前記外防水カバー及び内フィルムは、外廓が人の足裏もしくは手のひら輪廓形状にほぼ近いことを特徴とする請求項１記載の保護フィルム。
【考案の詳細な説明】
【技術分野】
【０００１】
本考案は、体の特定位置に貼り付けるフィルムに関するもので、特に保護美容液にワックスを結合して凝結した固体層にして保存しやすい保護フィルムに係わる。
【背景技術】
【０００２】
年齢が高くなるほどに、気候や環境の影響を受けやすくなり、人の皮膚は傷み老化する。そのうち、手部と足部の皮膚は四六時中外部と接触しているため、皮膚は亀裂や老化が明らかになりやすい。
【０００３】
特に、近年では美容手入れの意識が高まり、美を追求する人は大幅に増加した。顔の手入れや外に着ていく服の他に、手部及び足部等細かいところの手入れではますます重視されている。このような状況によって、多くの人が油を含むクリームもしくは乳液を購入して皮膚の亀裂、老化防ぐために塗る習慣を持つ。しかし、手や足に塗ったクリームが衣類もしくは家具に着いてしまうのを防ぐため、クリームを塗った後、手袋もしくは靴下をはくのが望ましいものの、繊維でできた手袋や靴下は防水密封効果を備えていないため、家事をするのは不便であり、更に塗ったクリームの流出を避けることができない。
【０００４】
図１に示すのは、公知のフィルム構造指示図である。公知のフィルム構造は外カバー体７０を含み、且つ外カバー体は開口７１を形成し、該外カバー体７０間にはフィルム体７２を設置する。該フィルム体７２には美容用の美容液７３を吸わせ、体の特定位置を該開口７１から該フィルム体内に入れ、該フィルム体７２で体の特定位置を覆い、体の特定位置に対して美白、保湿、角質取り等美容手入れを行う。しかしながら、公知のフィルム構造は保護液の分布が均一にならずに効果に影響を与え、保護液が溢れ出し、使用しにくいという欠点がある。
【０００５】
その他、公知には、ワックス処理機でワックスを溶かし手足の手入れをするものがあり、それは主に美容元素を含むワックス塊をワックス処理機に入れ、ワックス塊を加熱して溶解ワックスにする。更に該溶解ワックス量は手部もしくは足部への浸入深度を必要とするため、手部もしくは足部を何度も浸け，手部もしくは足部を溶解ワックスで覆い、手袋もしくはタオルで包んで覆い、ケアの効果を達成する。
【考案の概要】
【考案が解決しようとする課題】
【０００６】
解決しようとする問題点として、ワックス処理機の溶解ワックスには幾つかの欠点がある。使用時に溶解ワックスの必要量が多くなり、使用しにくい。溶解ワックス量が多くなると、ワックスを溶かす時間が長くなり、待つ時間が無駄になる。溶解ワックスは使い捨てなので、材料が無駄になる。また溶解ワックスを何度も使用すると、衛生面で問題が発生しやすい点である。
【０００７】
現在のフィルム構造には未だに最も理想的な構造がない。考案者はこれらを鑑み、研究を重ね、温熱保護効果を備え、使用しやすい本考案を提出した。
【課題を解決するための手段】
【０００８】
本考案は、外防水カバー、内フィルム及び保護ワックス層を含む。外防水カバーは、体の特定位置を入れ、該外防水カバー内層には吸湿性の内フィルムを設置し、該内フィルムに保護ワックス層を付着させ、且つ該保護ワックス層はワックス及び保護液によって調合される。更に内フィルムに付着させ、冷卻後に凝固させて成形し、外防水カバーは水分が浸入するのを防止する。更に外防水カバーと内フィルムは各々分離する単体であるか、もしくは両者を相互にプレス固定する。使用時、熱水容器、もしくは加熱板、もしくは温蔵庫と結合して使用する。本考案は全体を熱水容器に浸すか、もしくは温蔵庫に入れるか、もしくは加熱板を貼設し、保護ワックス層を熱で溶かして液体にした時、外防水カバーの開封口を開き、体の特定位置を開口から該内フィルムに入れ、体の特定位置をワックス及び保護液で覆うことで、温熱ケア効果を備え、未使用前は保存しやすいことを最も主要な特徴とする。
【考案の効果】
【０００９】
本考案の保護フィルムは、以下の利点がある。
１.ワックス及び保護液が完全に体の特定位置を覆い、保護ワックス層の使用量が減り、美容ケア効果を備える。
２.保護ワックス層の用量が少なくて済み、材料及びコストを節約して経済効果が高い。
３.保護ワックス層を溶かす時間が短くて済み、ケア時間を短縮することができる。
【図面の簡単な説明】
【００１０】
【図１】公知の包装袋の構造指示図である。
【図２】本考案の手部輪廓の外観構造指示図である。
【図３】本考案の手部輪廓の構造断面図である。
【図４】本考案の足部輪廓の構造断面図である。
【図５】本考案の開放開封口の構造指示図である。
【図６】本考案の密封開封口の構造指示図である。
【図７】本考案の第一実施例使用状態図である。
【図８】本考案の第一実施例の着装使用状態図である。
【図９】本考案の第二実施例使用状態図である。
【図１０】本考案の第二実施例の着装使用状態図である。
【図１１】本考案の第三実施例使用状態図である。
【図１２】本考案の固定構造指示図である。
【考案を実施するための形態】
【００１１】
使用前の保存が容易で、使用によって温熱ケア効果を備える保護フィルムを提供することを本考案の主な目的とする。
【００１２】
上述の目的を達成すため、本考案の保護フィルムは外防水カバー、内フィルム及び一保護ワックス層を含む。そのうち、外防水カバーは体の特定位置を入れ、水分の浸透を防止し、且つ該外防水カバー内層には吸湿性を備えた内フィルムを設置する。更に該内フィルムには保護ワックス層を付着させ、且つ該保護ワックス層はワックス及び保護液で調合し、内フィルムに吸着させて冷卻後に凝固させて成形して、保存しやすくする。
【００１３】
使用時、熱水容器、もしくは加熱板、もしくは温蔵庫と結合する。主に本考案全体を熱水容器の熱水内に入れるか、もしくは温蔵庫内に入れて加熱するか，もしくは加熱板を貼設する。また保護ワックス層は吸熱して溶け、液体に変化した時、外防水カバーの開封口を開封し、体の特定位置を開口から該内フィルムに入れ、体の特定位置がワックス及び保護液に包まれて温熱効果を備え、良好なケア効果を達成する。
【００１４】
上述の主な構造特徴として、該外防水カバーは該内フィルムと分離し、各々は独立した単体であり、該外防水カバーは密封するか、もしくは該開封口を開放端とする。
【００１５】
上述の主な構造特徴として、該外防水カバーと内フィルムの両者周辺縁はホットプレス成型し、相互を連結して固定し、該開封口は開放端とするか、もしくは該外防水カバーはホットプレスして該開封口を成形し、該開封口を密封する。
【００１６】
上述の主な構造特徴として、該内フィルムは吸湿性を備えた材質である。
【００１７】
上述の構造型態として、該内フィルムは紙材，もしくは棉材、もしくは布材である。
【００１８】
上述の主な構造特徴として、該保護ワックス層はワックス及び保護液を結合し、内フィルムに吸着させ冷卻後に凝固して成形する。
【００１９】
上述の構造型態において、該保護液は美容液であるか、もしくは乳液か、もしくはパラフィンワックスである。
【００２０】
上述の主な構造特徴として、該外防水カバー及び内フィルム外廓は人の足裏輪廓の形状に近い。
【００２１】
上述の主な構造特徴として、該外防水カバー及び内フィルム外廓は、人の手のひら輪廓形状に近い。
【００２２】
上述の主な構造特徴として、更に熱水容器か、もしくは加熱板か、もしくは温蔵庫と結合して加熱して使用する。
【００２３】
上述の主な構造特徴として、該外防水カバーは外側に密封したアルミ箔袋を設置する。
【実施例１】
【００２４】
本考案の特徴を、図式を挙げて実施例で詳細に説明する。
【００２５】
図２は本考案の手部輪廓の外観構造指示図で、図３は本考案の手部輪廓の構造断面図で、図４は本考案の足部輪廓の構造断面図である。本考案の保護フィルムは、基本的に外防水カバー１０、内フィルム２０及び保護ワックス層３０を含む。そのうち、
【００２６】
外防水カバー１０は、水分が浸入するのを防止し、更に開封口１１を設置し、そこから体の特定位置を入れる。また該外防水カバー１０内には内フィルム２０を設置し、該内フィルム２０形状は外防水カバー形状と相対してカバー内部に入れ、且つ内フィルム２０の開封口１１に相対する位置には開口２１を設置する。実施時、該外防水カバー１０及び内フィルム２０外廓は人の手部輪廓形状に倣い(図２参照)、手のひらを覆うか、もしくは足裏輪廓形状に倣い(図４参照)、足裏を覆う。更に内フィルム２０は吸湿性を備え、その材質は紙材もしくは棉材、もしくは布材を裁断して作ったものでもよい。且つ内フィルム２０の外防水カバー１０に相対する別一側には保護ワックス層３０を付着させ、該保護ワックス層３０はワックス及び保護液を調合し、内フィルム２０にしみ込ませて凝結させて形成するので、保存に便利である。
【００２７】
該外防水カバー１０は、該内フィルム２０と分離し、各々が独立した単体であり、該外防水カバーは密封するか、もしくは該開封口が開放端である。また、もしくは両者周辺縁はホットプレス成型で、相互に連結して固定し、該開封口が開放端(図５参照)であるか、もしくは該外防水カバーがホットプレスによって該開封口を形成し、該開封口を密封する(図６参照)。
【００２８】
使用時、図７及び図８に示すのが本考案の第一実施例である。それは外防水カバー１０、内フィルム２０及び保護ワックス層３０によって構成され、該開封口は開放端であり、熱水容器４０、もしくは加熱板（図未提示）、もしくは温蔵庫（図未提示）を結合して使用する。また保護ワックス層３０は、ワックス及び保護液から形成され、且つ該保護液は美容液か、もしくは乳液、もしくはパラフィンワックスである。本考案は全体を熱水容器４０に入れ、完全に熱水４１内に浸すか、もしくは温蔵庫内に入れて加熱するか、もしくは加熱板を貼りつけて温める。保護ワックス層３０が吸熱して溶け、液体になった時、体の特定位置を開口２１から該内フィルム２０へ入れ、体の特定位置がワックス及び保護液に包まれ、温熱効果を得て、良好なケア効果を達成する。
【実施例２】
【００２９】
図９及び図１０に示すのは、本考案の第二実施例である。本考案は、外防水カバー１０、内フィルム２０及び保護ワックス層３０から構成される。また該外防水カバーはホットプレスで該開封口を形成し、該開封口を密封し、熱水容器４０、もしくは加熱板（図未提示）、もしくは温蔵庫（図未提示）を結合して使用する。また保護ワックス層３０は、ワックス及び保護液によって形成し、且つ該保護液は美容液であるか、もしくは乳液、もしくはパラフィンワックスである。本考案は全体を熱水容器４０に入れ完全に熱水４１内に浸すか、もしくは温蔵庫内に入れて加熱するか，もしくは加熱板を貼りつけて温める。保護ワックス層３０が吸熱して溶けて液体になった時、外防水カバー１０の開封口１１を開封して、体の特定位置を開口２１から該内フィルム２０に入れ、体の特定位置がワックス及び保護液に包まれて温熱効果を備え，良好なケア効果を達成する。
【実施例３】
【００３０】
図１１は、本考案の第三実施例である。該外防水カバー１０は、外側に密封したアルミ箔袋１２を設置する。使用時、アルミ箔袋１２と共に全体を熱水容器４０に入れ、熱水４１内に完全に浸すか、もしくは温蔵庫内に入れて加熱するか、もしくは加熱板を貼りつけて温める。保護ワックス層３０間がアルミ箔袋によって良好な導熱性加熱をすることで、保護ワックス層３０が均一且つスピーディに熱が伝わるだけでなく、更に保護ワックス層３０を熱水から隔て保護液の活化性を維持し、最良のケア効果を達成する。
【００３１】
本考案の保護フィルムは、使用が易しく、外防水カバー１０は熱水４１が内漏れするのを防止するだけでなく、同時に液体の保護ワックス層３０が外漏れするのも防止し、手部と足部の保護液を確実に包み、更に積極的手段に拠って保護液が流出するのを止める。
【００３２】
更に図１２に示すとおり、本考案の保護フィルムは使用時に体の特定位置に確実に外防水カバー１０に入れた後、外防水カバー１０の腕部に近い余った部分を保護片５０の方向に近づけ、接着テープ６０を、外防水カバーを超えた引き寄せ部分まで引っ張った後、接着テープ６０を保護片５０に張り付けて外防水カバー１０上で固定する。即ち接着テープ６０の固定作用によって外防水カバー１０の締め具合を調整する目的を達成する。
【００３３】
上述のとおり、本考案は実施可能な保護フィルムを提供し、実用新案を申請する。本考案の技術内容及び技術特徴は上述のとおりであるが、当領域に習熟した者が本考案の提示を元に本考案の創作精神から逸脱しない各種の入れ替え及び修飾をするかもしれない。拠って、本考案の保護範囲は実施例に制限されず、本考案から乖離しない入れ替え及び修飾を含み、以下の請求項に属するものとする。
【符号の説明】
【００３４】
１０        外防水カバー
１１        開封口
１２        アルミ箔袋
２０        内フィルム
２１        開口
３０        保護ワックス層
４０        熱水容器
４１        熱水
５０        保護片
６０        接着テープ
７０        外カバー体
７１        開口
７２        フィルム体
７３        美容液
【図１】
0003179499.tif 000003
【図２】
0003179499.tif 000004
【図３】
0003179499.tif 000005
【図４】
0003179499.tif 000006
【図５】
0003179499.tif 000007
【図６】
0003179499.tif 000008
【図７】
0003179499.tif 000009
【図８】
0003179499.tif 000010
【図９】
0003179499.tif 000011
【図１０】
0003179499.tif 000012
【図１１】
0003179499.tif 000013
【図１２】
0003179499.tif 000014
【手続補正書】
【提出日】平成24年8月24日(2012.8.24)
【手続補正１】
【補正対象書類名】明細書
【補正対象項目名】全文
【補正方法】変更
【補正の内容】
【考案の詳細な説明】
【技術分野】
【０００１】
本考案は、体の特定位置に貼り付けるフィルムに関するもので、特に保護美容液にワックスを結合して凝結した固体層にして保存しやすい保護フィルムに係わる。
【背景技術】
【０００２】
年齢が高くなるほどに、気候や環境の影響を受けやすくなり、人の皮膚は傷み老化する。そのうち、手部と足部の皮膚は四六時中外部と接触しているため、皮膚は亀裂や老化が明らかになりやすい。
【０００３】
特に、近年では美容手入れの意識が高まり、美を追求する人は大幅に増加した。顔の手入れや外に着ていく服の他に、手部及び足部等細かいところの手入れではますます重視されている。このような状況によって、多くの人が油を含むクリームもしくは乳液を購入して皮膚の亀裂、老化防ぐために塗る習慣を持つ。しかし、手や足に塗ったクリームが衣類もしくは家具に着いてしまうのを防ぐため、クリームを塗った後、手袋もしくは靴下をはくのが望ましいものの、繊維でできた手袋や靴下は防水密封効果を備えていないため、家事をするのは不便であり、更に塗ったクリームの流出を避けることができない。
【０００４】
図１に示すのは、公知のフィルム構造指示図である。公知のフィルム構造は外カバー体７０を含み、且つ該外カバー体７０は開口７１を形成し、該外カバー体７０内にはフィルム体７２を設置する。該フィルム体７２には美容用の美容液７３を吸わせ、足部などの体の特定部位を該開口７１から該フィルム体７２内に入れ、該フィルム体７２で上記体の特定部位を覆い、該特定部位に対して美白、保湿、角質取り等美容手入れを行う。しかしながら、公知のフィルム構造は保護液の分布が均一にならずに効果に影響を与え、保護液が溢れ出し、使用しにくいという欠点がある。
【０００５】
その他、公知には、ワックス処理機でワックスを溶かし手足の手入れをするものがあり、それは主に美容元素を含むワックス塊をワックス処理機に入れ、ワックス塊を加熱して溶解ワックスにする。更に該溶解ワックス量は手部もしくは足部への浸入深度を必要とするため、手部もしくは足部に何度も浸み込ませ，手部もしくは足部を溶解ワックスで覆い、手袋もしくはタオルで包んで覆い、ケアの効果を達成する。
【考案の概要】
【考案が解決しようとする課題】
【０００６】
解決しようとする問題点として、ワックス処理機の溶解ワックスには幾つかの欠点がある。使用時に溶解ワックスの必要量が多くなり、使用しにくい。溶解ワックス量が多くなると、ワックスを溶かす時間が長くなり、待つ時間が無駄になる。溶解ワックスは使い捨てなので、材料が無駄になる。また溶解ワックスを何度も使用すると、衛生面で問題が発生しやすい点である。
【０００７】
現在のフィルム構造には未だに最も理想的な構造がない。考案者はこれらに鑑み、研究を重ね、温熱保護効果を備え、使用しやすい本考案を提案した。
【課題を解決するための手段】
【０００８】
本考案は、外防水カバー、内フィルム及び保護ワックス層を含む。外防水カバーは、手部や足部などの体の特定部位を入れ、該外防水カバー内には吸湿性の内フィルムを設置し、該内フィルムに保護ワックス層を付着させ、且つ該保護ワックス層はワックス及び保護液によって調合される。更に内フィルムに付着させ、冷卻後に凝固させて成形し、外防水カバーは水分が浸入するのを防止する。更に外防水カバーと内フィルムは各々分離できる単体であるか、もしくは両者は相互にプレス固定される。使用時には、熱水容器、もしくは加熱板、もしくは温蔵庫と一緒に使用する。本考案は全体を熱水容器に浸すか、もしくは温蔵庫に入れるか、もしくは加熱板を貼設し、保護ワックス層を熱で溶かして液体にした時、外防水カバーの開封口を開き、上記体の特定部位を開口から該内フィルムに入れ、体の特定部位をワックス及び保護液で覆うことで、温熱ケア効果を備え、未使用状態では保存しやすいことを最も主要な特徴とする。
【考案の効果】
【０００９】
本考案の保護フィルムは、以下の利点がある。
１.ワックス及び保護液が完全に体の特定部位を覆い、保護ワックス層の使用量が減り、美容ケア効果を備える。
２.保護ワックス層の用量が少なくて済み、材料及びコストを節約して経済効果が高い。
３.保護ワックス層を溶かす時間が短くて済み、ケア時間を短縮することができる。
【図面の簡単な説明】
【００１０】
【図１】公知の包装袋の構造指示図である。
【図２】本考案の手部輪廓の外観構造指示図である。
【図３】本考案の手部輪廓の構造断面図である。
【図４】本考案の足部輪廓の構造断面図である。
【図５】本考案の開放開封口の構造指示図である。
【図６】本考案の密封開封口の構造指示図である。
【図７】本考案の第一実施例使用状態図である。
【図８】本考案の第一実施例の着装使用状態図である。
【図９】本考案の第二実施例使用状態図である。
【図１０】本考案の第二実施例の着装使用状態図である。
【図１１】本考案の第三実施例使用状態図である。
【図１２】本考案の固定構造指示図である。
【考案を実施するための形態】
【００１１】
使用前の保存が容易で、使用によって温熱ケア効果を備える保護フィルムを提供することを本考案の主な目的とする。
【００１２】
上述の目的を達成すため、本考案の保護フィルムは外防水カバー、内フィルム及び一保護ワックス層を含む。そのうち、外防水カバーは、手部や足部などの体の特定部位を入れ、水分の浸透を防止し、且つ該外防水カバー内には吸湿性を備えた内フィルムを設置する。更に該内フィルムには保護ワックス層を付着させ、且つ該保護ワックス層はワックス及び保護液で調合し、内フィルムに吸着させて冷却後に凝固させて成形して、保存しやすくする。
【００１３】
使用時には、熱水容器、もしくは加熱板、もしくは温蔵庫と結合する。主に本考案の保護フィルムの全体を熱水容器の熱水内に入れるか、もしくは温蔵庫内に入れて加熱するか，もしくは加熱板を貼設する。また保護ワックス層は吸熱して溶け、液体に変化した時、外防水カバーの開封口を開口し、体の特定部位を該開封口から該内フィルムに入れ、体の特定部位がワックス及び保護液に包まれて温熱効果を備え、良好なケア効果を達成する。
【００１４】
上述の主な構造特徴として、該外防水カバーは該内フィルムと分離し、各々は独立した単体であり、該外防水カバーは密封するか、もしくは該開封口を開放する。
【００１５】
上述の主な構造特徴として、該外防水カバーと内フィルムの両者の周辺縁はホットプレス成型し、相互を連結して固定し、該開封口は開放するか、もしくは該外防水カバーはホットプレスして該開封口を成形し、該開封口を密封する。
【００１６】
上述の主な構造特徴として、該内フィルムは吸湿性を備えた材質である。
【００１７】
上述の構造形態として、該内フィルムは紙材，もしくは棉材、もしくは布材である。
【００１８】
上述の主な構造特徴として、該保護ワックス層はワックス及び保護液を結合し、内フィルムに吸着させ冷却後に凝固して成形する。
【００１９】
上述の構造型態において、該保護液は美容液であるか、もしくは乳液か、もしくはパラフィンワックスである。
【００２０】
上述の主な構造特徴として、該外防水カバー及び内フィルムの外周形状は人の足裏輪廓の形状に近い。
【００２１】
上述の主な構造特徴として、該外防水カバー及び内フィルムの外周形状は、人の手のひら輪廓形状に近い。
【００２２】
上述の主な構造特徴として、更に熱水容器か、もしくは加熱板か、もしくは温蔵庫と結合して加熱して使用する。
【００２３】
上述の主な構造特徴として、該外防水カバーは外側に密封したアルミ箔袋を設置する。
【実施例１】
【００２４】
本考案の特徴を、図面を参照しながら実施例について詳細に説明する。
【００２５】
図２は本考案の手部輪廓の外観構造指示図で、図３は本考案の手部輪廓の構造断面図で、図４は本考案の足部輪廓の構造断面図である。本考案の保護フィルムは、基本的に外防水カバー１０、内フィルム２０及び保護ワックス層３０を含む。そのうち、
【００２６】
外防水カバー１０は、水分が浸入するのを防止し、更に開封口１１を設置し、そこから体の特定部位（手部や足部）を入れる。また該外防水カバー１０内には内フィルム２０を設置し、該内フィルム２０の形状は上記外防水カバー１０の形状と相似しており、且つ該内フィルム２０の、上記開封口１１に対応する位置には開口２１を設置する。実施時、該外防水カバー１０及び内フィルム２０の外形は人の手部の輪廓形状に倣い(図２参照)、手部を覆うか、もしくは足部の輪廓形状に倣い(図４参照)、足部を覆う。更に内フィルム２０は吸湿性を備え、その材質は紙材もしくは棉材、もしくは布材を裁断して作ったものでもよい。且つ上記内フィルム２０の、上記外防水カバー１０とは反対側の面には保護ワックス層３０を付着させ、該保護ワックス層３０はワックス及び保護液を調合し、内フィルム２０にしみ込ませて凝結させて形成するので、保存に便利である。
【００２７】
該外防水カバー１０は、該内フィルム２０と分離し、各々が独立した単体であり、該外防水カバー１０は開封口１１を密封するか、もしくは開放する。また、もしくは両者の周辺縁はホットプレス成型で、相互に連結して固定し、該開封口１１が開放される(図５参照)か、もしくは該外防水カバーがホットプレスによって該開封口１１を形成し、該開封口１１を密封する(図６参照)。
【００２８】
使用時、図７及び図８に示すのが本考案の第一実施例である。それは外防水カバー１０、内フィルム２０及び保護ワックス層３０によって構成され、上記開封口１１は開放されており、熱水容器４０、もしくは加熱板（図示せず）、もしくは温蔵庫（図示せず）を併用して使用する。また保護ワックス層３０は、ワックス及び保護液から形成され、且つ該保護液は美容液か、もしくは乳液、もしくはパラフィンワックスである。本考案の保護フィルムは全体を熱水容器４０に入れ、完全に熱水４１内に浸すか、もしくは温蔵庫内に入れて加熱するか、もしくは加熱板を貼りつけて温める。保護ワックス層３０が吸熱して溶け、液体になった時、体の特定部位を開口２１から該内フィルム２０へ入れ、体の特定部位がワックス及び保護液に包まれ、温熱効果を得て、良好なケア効果を達成する。
【実施例２】
【００２９】
図９及び図１０に示すのは、本考案の第二実施例である。本考案は、外防水カバー１０、内フィルム２０及び保護ワックス層３０から構成される。また該外防水カバー１０はホットプレスで上記開封口１１を形成し、該開封口１１を密封し、熱水容器４０、もしくは加熱板（図示せず）、もしくは温蔵庫（図示せず）を併用して使用する。また保護ワックス層３０は、ワックス及び保護液によって形成され、且つ該保護液は美容液であるか、もしくは乳液、もしくはパラフィンワックスである。本考案の保護フィルムは全体を熱水容器４０に入れて完全に熱水４１内に浸すか、もしくは温蔵庫内に入れて加熱するか，もしくは加熱板を貼りつけて温める。保護ワックス層３０が吸熱して溶けて液体になった時、外防水カバー１０の開封口１１を開放して、体の特定部位を開口２１から該内フィルム２０に入れ、体の特定部位がワックス及び保護液に包まれて温熱効果を備え，良好なケア効果を達成する。
【実施例３】
【００３０】
図１１は、本考案の第三実施例である。該外防水カバー１０は、その外側に、密封したアルミ箔袋１２を設置する。使用時、アルミ箔袋１２と共に保護フィルム全体を熱水容器４０に入れ、熱水４１内に完全に浸すか、もしくは温蔵庫内に入れて加熱するか、もしくは加熱板を貼りつけて温める。保護ワックス層３０がアルミ箔袋によって良好な導熱性加熱をすることで、保護ワックス層３０が均一且つスピーディに熱が伝わるだけでなく、更に保護ワックス層３０を熱水から隔て保護液の活化性を維持し、最良のケア効果を達成する。
【００３１】
本考案の保護フィルムは、使用が易しく、外防水カバー１０は熱水４１が内漏れするのを防止するだけでなく、同時に液体の保護ワックス層３０が外漏れするのも防止し、手部と足部の保護液を確実に包み、更に積極的手段に拠って保護液が流出するのを止める。
【００３２】
更に図１２に示すとおり、本考案の保護フィルムは、使用時に体の特定部位を確実に外防水カバー１０に入れた後、外防水カバー１０の腕部に近い余った部分を保護片５０の方向に近づけ、接着テープ６０を、外防水カバー１０を超えた引き寄せ部分まで引っ張った後、接着テープ６０を保護片５０に張り付けて外防水カバー１０上で固定する。即ち接着テープ６０の固定作用によって外防水カバー１０の締め具合を調整する目的を達成する。
【００３３】
上述のとおり、本考案は実施可能な保護フィルムを提供し、実用新案を申請する。本考案の技術内容及び技術特徴は上述のとおりであるが、当領域に習熟した者が本考案の提示を元に本考案の創作精神から逸脱しない各種の入れ替え及び修飾をするかもしれない。拠って、本考案の保護範囲は実施例に制限されず、本考案から乖離しない入れ替え及び修飾を含み、以下の請求項に属するものとする。
【符号の説明】
【００３４】
１０        外防水カバー
１１        開封口
１２        アルミ箔袋
２０        内フィルム
２１        開口
３０        保護ワックス層
４０        熱水容器
４１        熱水
５０        保護片
６０        接着テープ
７０        外カバー体
７１        開口
７２        フィルム体
７３        美容液
【手続補正２】
【補正対象書類名】実用新案登録請求の範囲
【補正対象項目名】全文
【補正方法】変更
【補正の内容】
【実用新案登録請求の範囲】
【請求項１】
保護フィルムにおいて、それは少なくとも
開封口を設置し、人体の特定部位に装着する外防水カバーと、
該外防水カバー内に設置され、その形状は上記外防水カバーの形状に相似し、且つ上記開封口に対応する位置に開口を設置する内フィルムと、
該内フィルムの上記外防水カバーとは反対側の面に付着された保護ワックス層と、
を含むことを特徴とする保護フィルム。
【請求項２】
前記外防水カバーは、該内フィルムと分離し、該外防水カバーは密封するか、もしくは該開封口を開放して、該外防水カバーと内フィルムの周辺縁はホットプレス成型で相互連結して固定し、該開封口は開放するか、もしくは該外防水カバーはホットプレスで該開封口を形成し、該開封口を密封することを特徴とする請求項１記載の保護フィルム。
【請求項３】
前記保護ワックス層は、ワックス及び保護液を結合し、内フィルムに吸着させ、冷卻後に凝固成型することを特徴とする請求項１もしくは２記載の保護フィルム。
【請求項４】
前記外防水カバーは、接着テープ及び保護片を設置することを特徴とする請求項１記載の保護フィルム。
【請求項５】
前記外防水カバーは、密封したアルミ箔袋を外に設置することを特徴とする請求項１記載の保護フィルム。
【請求項６】
前記外防水カバー及び内フィルムは、外廓が人の足裏もしくは手のひら輪廓形状に近いことを特徴とする請求項１記載の保護フィルム。